(57)【要約】      （修正有）【課題】従来よりもシート状部材の下端が損傷しにくく、また、使用時に床面が変形しにくい組立イスを提供する。【解決手段】組立イスは、シート状部材を組み立てることで上面が閉じられた筒状となり、筒状の下端に位置する接地領域を介して床面に置かれる箱体１０と、箱体における接地領域から延出して箱体の内側へと折り込まれることにより、接地領域とともに床面に接触する接地延出片２０とを備えている。この構成であれば、箱体の接地領域およびここから延出する接地延出片が、箱体の内外方向に拡がる広い領域での床面との接地を実現し、使用時の荷重を箱体の内外方向に分散させることができる。そのため、線状の領域で床面と接触する従来の構成と比べて、床面と接触する領域が損傷しにくいだけでなく、床面の大きな変形が抑制されるために使用時のイスとしての安定性も高い。【選択図】図１
2017086174.tif 000002
【特許請求の範囲】
【請求項１】
シート状部材を組み立てることで上面が閉じられた筒状となり、該筒状の下端に位置する接地領域を介して床面に置かれる箱体と、
前記箱体における接地領域から延出して該箱体の内側へと折り込まれることにより、前記接地領域とともに床面に接触する接地延出片と、を備えている
ことを特徴とする組立イス。
【請求項２】
前記箱体は、少なくとも対向する一対の側面部を有する筒状となるものであり、
前記接地延出片は、前記箱体において対向する側面部にある接地領域それぞれから延出している
ことを特徴とする請求項１に記載の組立イス。
【請求項３】
前記箱体は、左右方向および前後方向それぞれに沿って対向する側面部を有し、底面が開放された筒として構成されており、
前記箱体において左右方向に沿って配置された側面部それぞれには、その上端部から延出して上面部を形成する上面片が形成され、該上面片を屈曲させることで上面部となるように構成されており、
前記箱体において前後方向に沿って配置された対向する側面部それぞれは、前記箱体の内側へ凹となるよう所定量だけ屈曲することで、該側面部の上端に配置される前記上面部への荷重を支えるとともに、該屈曲量を大きくし左右方向に沿って配置された側面部を接近させることで、当該箱体の左右方向への折畳を実現可能に構成されており、
前記接地延出片は、前記箱体において左右方向および前後方向に沿って配置された側面部それぞれの下端側から延出している
ことを特徴とする請求項２に記載の組立イス。
【発明の詳細な説明】
【技術分野】
【０００１】
本発明は、組立イスに関する。
【背景技術】
【０００２】
従来から、シート状部材により折り畳み可能に構成された組立イスが種々提案されている（特許文献１参照）。
【先行技術文献】
【特許文献】
【０００３】
【特許文献１】特開２００５−２１８８３６号公報
【発明の概要】
【発明が解決しようとする課題】
【０００４】
上述したような組立イスは、筒状に形成したシート状部材の下端を接地させて荷重を支える構造となっており、床面と接触する領域が線状になることから、この領域が床面に押し付けられて損傷しやすいという問題があった。
【０００５】
また、例えば畳や絨毯など比較的軟らかい床面で組立を使用するような場合には、その使用時の荷重がシート状部材の下端を介して床面を変形させてしまい、イスとしての安定性を損ねることがあるという問題もあった。
【０００６】
本発明は、このような課題を解決するためになされたものであり、その目的は、従来よりもシート状部材の下端が損傷しにくく、また、使用時に床面が変形しにくい組立イスを提供することである。
【課題を解決するための手段】
【０００７】
上記課題を解決するため第１の構成は、シート状部材を組み立てることで上面が閉じられた筒状となり、該筒状の下端に位置する接地領域を介して床面に置かれる箱体と、前記箱体における接地領域から延出して該箱体の内側へと折り込まれることにより、前記接地領域とともに床面に接触する接地延出片と、を備えている。
【０００８】
このように構成された組立イスであれば、箱体の接地領域およびここから延出する接地延出片が、箱体の内外方向に拡がる広い領域での床面との接地を実現し、使用時の荷重を箱体の内外方向に分散させることができる。そのため、線状の領域で床面と接触する従来の構成と比べて、床面と接触する領域が損傷しにくいだけでなく、床面の変形が抑制されるために使用時のイスとしての安定性も高いものとなっている。また、広い領域で床面と接地する構造上、床面の変形だけでなく、軟らかい床面が接地領域により損傷してしまうといったことも起こりにくい。
【０００９】
また、上記構成において、箱体が少なくとも対向する一対の側面部を有する筒状となるものである場合は、以下に示す第２の構成のように、前記接地延出片は、前記箱体において対向する側面部にある接地領域それぞれから延出している、というようにしてもよい。
【００１０】
このように構成された組立イスであれば、箱体において対向する一対の側面部それぞれから延出する接地延出片が、一対の側面部それぞれにおいて内外方向に拡がる領域で床面との接触を実現することによって、使用時のイスとしての安定性を高めることができる。
【００１１】
なお、上述した各構成は以下に示す第３のように構成してもよい。
第３の構成において、前記箱体は、左右方向および前後方向それぞれに沿って対向する側面部を有し、断面四角形で底面が開放された筒として構成されており、前記箱体において左右方向に沿って配置された側面部それぞれには、その上端部から延出して上面部を形成する上面片が形成され、該上面片を屈曲させることで上面部となるように構成されており、前記箱体において前後方向に沿って配置された対向する側面部それぞれは、前記箱体の内側へ凹となるよう所定量だけ屈曲することで、該側面部の上端に配置される前記上面部への荷重を支えるとともに、該屈曲量を大きくし左右方向に沿って配置された側面部を接近させることで、当該箱体の左右方向への折畳を実現可能に構成されており、前記接地延出片は、前記箱体において左右方向および前後方向に沿って配置された側面部それぞれの下端側から延出している。
【００１２】
この構成に係る組立イスであれば、箱体において前後方向に沿って配置された対向する側面部それぞれが、箱体内側へ凹となるように屈曲可能に構成されているため、接地延出片による上述した効果に加えて、当該箱体の左右方向への折畳を実現することができる。
【００１３】
具体的には、箱体において前後方向に沿って配置された対向する側面部を所定量だけ屈曲させることで、この側面部の上端に配置される上面部への荷重を支えることができ、また、屈曲量を大きくして左右方向に沿って配置された側面部を接近させることにより、当該箱体の左右方向への折畳を実現することができる。
【図面の簡単な説明】
【００１４】
【図１】図１Ａは組立イスを組み立てた状態で上方から見た斜視図、図１Ｂは組立イスを組み立てた状態で下方からみた斜視図
【図２】組立イスを組み立てた状態の六面図
【図３】図３Ａは組立イスを組み立てた状態で上方から見た斜視図（接地延出片のみ実線）、図３Ｂは組立イスを組み立てた状態で下方から見た斜視図（接地延出片のみ実線）
【図４】組立イスを組み立てた状態の六面図（接地延出片のみ実線）
【図５】組立イスをなすシート状部材の六面図（ただし、背面図は正面図と対称にあらわれるため省略）
【図６】図６Ａは組立イスをなすシート状部材を示す斜視図、図６Ｂは組立イスをなすシート状部材を示す斜視図（接地延出片のみ実線で示す）
【図７】箱体が組み立てられる様子を示す参考斜視図
【図８】図８Ａは別の実施形態における組立イスを組み立てた状態で下方からみた斜視図、図８Ｂは別の実施形態における組立イスを組み立てた状態で下方からみた斜視図（接地延出片のみ実線）
【図９】別の実施形態における組立イスを組み立てた状態の六面図
【図１０】別の実施形態における組立イスを組み立てた状態の六面図（接地延出片のみ実線で示す）
【図１１】別の実施形態における組立イスをなすシート状部材の六面図（ただし、背面図は正面図と対称にあらわれるため省略）
【図１２】図１２Ａは別の実施形態における組立イスをなすシート状部材を示す斜視図、図１２Ｂは別の実施形態における組立イスをなすシート状部材を示す斜視図（接地延出片のみ実線で示す）
【発明を実施するための形態】
【００１５】
以下に本発明の実施形態を図面と共に説明する。
（１）全体構成
組立イスは、シート状部材を組み立てることにより構成されるものであって、図１Ａ、図１Ｂ、図２に示すように、上面が閉じられた筒状の下端に位置する接地領域を介して床面に置かれる箱体１０と、箱体１０における接地領域から延出する接地延出片２０と、を備えている。なお、接地延出片２０のみを実線で示して強調した図を図３Ａ、図３Ｂ、図４に示す。
【００１６】
箱体１０は、図５、図６に示すようなシート状部材（本実施形態においては段ボールを使用）を組み立てることで、少なくとも対向する一対の側面部を有する筒状に構成され、筒状において閉じられた上面部１３がイスとしての座面となる。この図５における破線および図６における一点鎖線は組立に際しての折り目を示すものである。なお、図６Ｂは、図６Ａにおける接地延出片２０のみを実線で示して強調した図である。
【００１７】
本実施形態では、左右方向および前後方向それぞれに沿って対向する側面部１５、１９を有するとともに底面が開放された筒状の構成とされている。
また、箱体１０において左右方向に沿って配置された側面部１５には、図５、図６に示すように、その上端部から延出する上面片１７が形成されており、図７に示すように、この上面片１７を屈曲させ、それぞれの端部領域を箱体１０内部に折り込むことによって（同図矢印ａ参照）、上面部１３が形成される。
【００１８】
また、箱体１０において前後方向に沿って配置された対向する側面部１９は、箱体１０の内側へ凹となるよう屈曲可能に構成されている。そして、この側面部１９を所定量だけ屈曲することで、この側面部の上端に配置される上面部１３への荷重を支える一方、この屈曲量を大きくし左右方向に沿って配置された側面部１９同士を接近させることで（同図矢印ｂ参照）、箱体１０の左右方向への折畳を実現することができる。
【００１９】
接地延出片２０は、箱体１０において対向する側面部１５にある接地領域それぞれから延出して箱体１０の内側へと折り込まれることにより、この接地領域とともに床面に接触する。
【００２０】
本実施形態において、接地延出片２０は、箱体１０において左右方向に沿って配置された側面部１５それぞれの下端、および、箱体１０において前後方向に沿って配置された側面部１９それぞれの下端から延出している。ここで、側面部１５の下端から延出する接地延出片２０は、側面部１５の前後方向に沿った領域全体にわたって延出しているのに対し、側面部１９の下端から延出する接地延出片２０は、側面部１９の左右方向に沿った領域のうち、側面部１５の下端から延出する接地延出片２０と、側面部１９において屈曲可能な領域（折り目と重なる部分）とを避けた領域から延出している（図１Ｂ、図３Ｂなど参照）。
（２）作用，効果
このように構成された組立イスであれば、箱体１０の接地領域およびここから延出する接地延出片２０が、箱体１０の内外方向に拡がる広い領域での床面との接地を実現し、使用時の荷重を箱体の内外方向に分散させることができる。そのため、線状の領域で床面と接触する従来の構成と比べて、床面と接触する領域が損傷しにくいだけでなく、床面の変形が抑制されるために使用時のイスとしての安定性も高いものとなっている。
【００２１】
また、広い領域で床面と接地する構造上、床面の変形だけでなく、軟らかい床面が接地領域により損傷してしまうといったことも起こりにくい。
また、上記のように構成された組立イスであれば、箱体１０において対向する一対の側面部１５，１９それぞれから延出する接地延出片２０が、一対の側面部１５，１９それぞれにおいて内外方向に拡がる領域で床面との接触を実現することによって、使用時のイスとしての安定性を高めることができる。
【００２２】
また、上記構成に係る組立イスであれば、箱体１０において前後方向に沿って配置された対向する側面部１９それぞれが、箱体１０の内側へ凹となるように屈曲可能に構成されているため、接地延出片２０による上述した効果に加えて、当該箱体１０の左右方向への折畳を実現することができる。
【００２３】
具体的には、箱体１０において前後方向に沿って配置された対向する側面部１９を所定量だけ屈曲させることで、この側面部１９の上端に配置される上面部１３への荷重を支えることができ、また、屈曲量を大きくして左右方向に沿って配置された側面部１５を接近させることにより、当該箱体１０の左右方向への折畳を実現することができる。
（３）変形例
以上、本発明の実施の形態について説明したが、本発明は、上記実施形態に何ら限定されることはなく、本発明の技術的範囲に属する限り種々の形態をとり得ることはいうまでもない。
【００２４】
例えば、上記実施形態においては、シート状部材として段ボールが採用されている構成を例示したが、シート状部材としては、段ボールに限定されない。
また、上記実施形態では、側面部１５の下端から延出する接地延出片２０が、側面部１５の前後方向に沿った領域全体にわたって延出しているのに対し、側面部１９の下端から延出する接地延出片２０が、側面部１５の下端から延出する接地延出片２０を避けた領域から延出している、といった形状となっている構成を例示した。
【００２５】
しかし、接地延出片２０の形状については、これに限定されない。例えば、図８〜図１０に示すように、側面部１５の下端から延出する接地延出片２０が、側面部１５の前後方向に沿った領域のうち、側面部１９の下端から延出する接地延出片２０を避けた領域から延出する一方、側面部１９の下端から延出する接地延出片２０が、側面部１９において屈曲可能な領域のみを避けた領域にわたって延出する、といった形状とすることが考えられる。この構成においては、箱体１０を組み立てた際に接地延出片２０が上述した形状となるように加工されたシート状部材（図１１、図１２）が用いられる。
【符号の説明】
【００２６】
１０…箱体、１３…上面部、１５…側面部、１７…上面片、１９…側面部、２０…接地延出片。
【図１】
2017086174.tif 000003
【図２】
2017086174.tif 000004
【図３】
2017086174.tif 000005
【図４】
2017086174.tif 000006
【図５】
2017086174.tif 000007
【図６】
2017086174.tif 000008
【図７】
2017086174.tif 000009
【図８】
2017086174.tif 000010
【図９】
2017086174.tif 000011
【図１０】
2017086174.tif 000012
【図１１】
2017086174.tif 000013
【図１２】
2017086174.tif 000014